(57)【特許請求の範囲】
【請求項１】
固定金型と可動金型とに装着されて成形品の加工に供されるカムユニットにおけるカムスライダーであって、
前記カムスライダーには、
該カムスライダーの上下方向の片側面に摺動自在なベースプレートと、
前記カムスライダーの前記片側面に固定され前記ベースプレートを摺動自在に挟装するスプリングガイドと、
前記ベースプレートの片側面で前記スプリングガイドを挟むようにして立設される反力部材とガイドピンアングルと、
前記スプリングガイドを貫通して反力部材とガイドピンアングルとの間に支持されるバネガイドピンと、
前記バネガイドピンに嵌装されるとともに前記スプリングガイドの内部空間に内装され、カム作用で移動された前記カムスライダー及び前記スプリングガイドを元の位置に復帰させる弾性部材と、
が設けられていること、
を特徴とするカムスライダー。
【請求項２】
固定金型と可動金型とに装着されて成形品の加工に供され、前記一方の金型に固着されてカム作用するカムドライバーと該カムドライバーによって所定方向に移動されるカムスライダーとからなるカムユニットにおいて、
前記カムスライダーは、請求項１に記載のカムスライダーであること、
を特徴とするカムユニット。
【発明の詳細な説明】
【０００１】
【発明の属する技術分野】
本発明は、金型のカムユニットに係り、例えば、自動車用のボディフレームの端縁部を屈曲させるプレス金型における、水平カムユニット、吊りカムユニット、傾斜カムユニット等のカムユニットおよびカムスライダーに関する。
【０００２】
【従来の技術】
従来、自動車のボディ等の大型金属製板を、鉛直方向における下側の固定金型と上側の可動金型による金型で成型する場合、その成形品の側面において、孔を穿設したり縁部を屈曲させたりするには、従来例１として図５に示すように、金型に水平なカムユニット１ａを取り付けて行う。例えば、可動金型２０のカムドライバー２１にテーパ面２１ａを設け、該テーパ面２１ａに当接するテーパ面２２ａを有して固定金型のベース２４上を左右方向に一定範囲でスライドするカムスライダー２２を設け、当該カムスライダー２２の側面に工具２３（例えば孔明け用）を固定しておく、水平カムユニットが知られている。
【０００３】
そして、前記可動金型２０の上下往復動により、前記カムスライダー２２がベース２４の上を左右方向にスライドし、前記工具２３によって成形品２５の側面を加工するものである。
【０００４】
前記カムスライダー２２は、前記カムドライバー２１が可動金型２０と共に上方に移動されると、ベース２４のスプリングガイドピン２６ａに装着され常に左側に付勢するスプリング等の弾性体２６の付勢力によって、元の位置に復帰される。
【０００５】
また、従来例２として図６乃至図７に示すように、上側の可動金型に固着されるカムホルダー２７と、該カムホルダー２７の上下移動（ストロークＳ１）によって、所定方向（Ｓ２，Ｓ３）にスライドされるカムスライダー２８と、該カムスライダー２８にカム作用させるため下側の固定金型に固着されたロアーカム２９とで概ね構成される吊りカムユニットが知られている。
【０００６】
この場合も、カムスライダー２８がカム作用された後に元の位置に復帰させる弾性体３０を支持するガイドピン３１は、カムホルダー２７側にボルトで固着されている。カムスライダー２８側には、前記弾性体３０を収容する凹部が設けられているのみで、この凹部の底面で弾性体３０の付勢力を受けるようになっている。
【０００７】
【発明が解決しようとする課題】
しかしながら、上記従来例１においては、カムスライダー２８を元の位置に復帰させるスプリング等の弾性体２６は、例えば、ベース２４側に設けられた弾性体案内支持棒（スプリングガイドピン）２６ａに嵌装されている。そして、前記カムスライダー２８の一端側の側壁面に、前記弾性体２６の一端面が当接されていて付勢力を受けるようになっている。
【０００８】
よって、例えば、工具の加工方向角度が車種に応じて、水平（０°）、１０°、１５°等と種々変更させて対応させる必要がある場合に、前記弾性体案内支持棒２６ａ及び弾性体２６がベース２４側に設けられているので、前記工具の加工方向角度毎にそれぞれに対応した弾性体案内支持棒を有するベース２４を用意しなければならない。
【０００９】
前記ベース２４は、金型として大きさも大きいので、各種工具の加工方向角度毎に金型製作するのはコストが嵩み、それを保管するのにもコストが嵩むと共に、保管スペースも広く場所をとることになる。更に、前記弾性体案内支持棒２６ａと弾性体２６とを別に保管して、使用時にいちいちカムスライダー２２との取り合いで組み立てしなければならない。この組立には、摺動部分の組立であるので、高精度に組み立てる必要があって容易ではない。そのほか、カムスライダー２２には、戻し復帰用の弾性体が装備されていないので、これを単独で取り引きして、自動車用プレス金型に適用するのみならず、傾斜加工した工作機械等の他の加工装置に容易に適用させて使用することができない等の課題がある。
【００１０】
また、前記従来例２においても、ガイドピン３１がカムホルダー２７に設けるような構造になっているので、上記従来例１と同様な課題がある。本発明に係るカムスライダーとそのカムユニットは、このような課題を解消するために提案されるものである。
【００１１】
【課題を解決するための手段】
本発明に係る吊りカムスライダーの上記課題を解決するための要旨は、固定金型と可動金型とに装着されて成形品の加工に供されるカムユニットにおけるカムスライダーであって、前記カムスライダーには、該カムスライダーの上下方向の片側面に摺動自在なベースプレートと、前記カムスライダーの前記片側面に固定され前記ベースプレートを摺動自在に挟装するスプリングガイドと、前記ベースプレートの片側面で前記スプリングガイドを挟むようにして立設される反力部材とガイドピンアングルと、前記スプリングガイドを貫通して反力部材とガイドピンアングルとの間に支持されるバネガイドピンと、前記バネガイドピンに嵌装されるとともに前記スプリングガイドの内部空間に内装され、カム作用で移動された前記カムスライダー及び前記スプリングガイドを元の位置に復帰させる弾性部材と、が設けられていることである。
【００１２】
本発明に係るカムユニットの上記課題を解決するための要旨は、固定金型と可動金型とに装着されて成形品の加工に供され、前記一方の金型に固着されてカム作用するカムドライバーと該カムドライバーによって所定方向に移動されるカムスライダーとからなるカムユニットにおいて、前記カムスライダーは上記請求項１に記載のカムスライダーであることである。
【００１３】
本発明に係るカムスライダーとそのカムユニットによれば、カムスライダーとして単独で製品取引が可能となり、これを取り付ける固定及び可動の金型には、所望の工具作用角度に加工した取付け面と、ボルトなどを裸着させる取付けネジ孔が存在すれば、前記カムスライダーを取り付けることができることになる。
【００１４】
よって、一のカムスライダーをボルト等で金型に取り付けるだけでよいので、任意の加工方向角度の金型に容易、かつ、フレキシブルに対応させることができる。
【００１５】
また、本発明のカムユニットによれば、前記カムスライダーを上下方向から取り付けるカムドライバーとカムホルダーとにおいては、工具作用角度に加工した取付け面と取付けネジ孔とを設けるだけでよいので、加工精度を高度に維持させる必要がなく、外部発注品にすることができる。
【００１６】
これにより、カムユニット部品の生産の分散・分業化が可能となる。更に、カムホルダーにはコイルスプリング用のガイドピン及びこれを取り付ける部材が無いので、形状が単純・簡略化されて全体的に小型化され、金型保管方法も容易となる。
【００１７】
【発明の実施の形態】
次に、本発明に係るカムユニットとそのカムスライダーについて図面を参照して説明する。なお、発明の理解容易のため従来例に対応する部分には従来例と同一符号を付けて説明する。
【００１８】
図１及び図２は、本発明に係るカムユニット１の斜視図と正面図であり、上から順にカムホルダー２、カムスライダー３、カムドライバー４とからなる。
【００１９】
前記カムホルダー２とカムスライダー３との間には、ベースプレート５が介在されており、該ベースプレート５は、前記カムスライダー３側に摺動自在に組み立てられ、固定金型２４・可動金型２０にカムユニット１を取り付ける際に、ボルトにより前記カムホルダー２に固着されるものである。
【００２０】
また、前記カムホルダー２は、金型における上側の可動金型２０に、そして、カムドライバー４は下側の固定金型２４に、それぞれ各取付孔ａ，ｂに挿通させたボルトにより固着される。
【００２１】
ここで、本発明に係る前記カムスライダー３は、図３に示すように、そのスライダー本体３ａにおいて前記カムドライバー４との摺接面である山形の底部３ｄ（図４参照）と、工具等の取付面３ｂと、前記ベースプレート５の下面と摺接する上面３ｃと、を有する。
【００２２】
前記スライダー本体３ａの側壁面には、強制戻しフォロアー６，７がボルトなどで固着されている。
【００２３】
図４に示すように、前記上面３ｃの略中央部には、取付孔８，９が設けられ、スプリングガイド１０をボルトで固着するようになっている。
【００２４】
このカムスライダー３の組立においては、図３及び図４を参照すると、前記上面３ｃに平板状のベースプレート５を載置し、該ベースプレート５の中央部の孔５ａに上方から差し込んで、前記スプリングガイド１０を前記上面３ｃに置き、ボルトを前記取付孔８，９に挿通させて前記スプリングガイド１０をスライダー本体３ａに固着する。
【００２５】
これによって、前記ベースプレート５は、スライダー本体３ａの上部に前記スプリングガイド１０によって挟装され抱き込まれることになり、かつ、前記上面３ｃに沿って摺動自在にされる。
【００２６】
更に、前記ベースプレート５の上面の左側に、ガイドピンブロック１１がボルトで固着されて立設される。このガイドピンブロック１１の内側面に、全体棒状のバネガイドピン１２の先端部が係合し支持される。
【００２７】
前記バネガイドピン１２には、弾性部材としてのスプリング１３と座金としてのリング状平板体のワッシャー１４が嵌装される。この両者が前記スプリングガイド１０のスプリングガイド用の内部空間１０ａに内装される。前記ワッシャー１４は、前記１０のＵ字状溝１０ｂの開口内側端面に当接する。
【００２８】
また、前記バネガイドピン１２の後端部は、前記スプリングガイド１０のＵ字状溝１０ｂを貫通してベースプレート５の上面の右側にボルトで立設されたＬ字型のガイドピンアングル１５に支持される。その後、前記強制戻しフォロアー６，７がスライダー本体３ａにボルトで固着される。
【００２９】
こうして、本発明に係るカムスライダー３が構成され、前記スプリング１３は前記ガイドピンブロック１１を反力部材にして、ワッシャー１４及びスプリングガイド１０を介して、スライダー本体３ａを付勢して元の位置に復帰させるように作用する。
【００３０】
前記カムスライダー３に、当該スライダー本体３ａがカム作用された後に、このスライダー本体３ａを元の位置に復帰させるスプリング１３が装備され、かつ、そのスプリング１３用の反力部材であるベースプレート５，ガイドピンブロック１１が装備されているので、このカムスライダー３単体を保管し、かつ、製品とすることができる。
【００３１】
また、前記カムスライダー３にカムホルダー２，カムドライバー４をボルトで各々上下に取り付けることで、図１に示すカムユニット１が、容易に組み立てられる。前記カムホルダー２に対して、カムスライダー３の上部にある、スプリングガイド１０，ガイドピンブロック１１，バネガイドピン１２，スプリング１３，ガイドピンアングル１５がカムホルダー２の内部空間内に内包され、前記カムスライダー３におけるベースプレート５の上面がカムホルダー２のフランジ下面に突起５ｂで位置決めしながら当接されて、当該カムスライダー３が取り付けられるものである。
【００３２】
前記カムホルダー２，カムドライバー４は、工具の加工方向角度が、例えば、５°，１０°，２０°等と種々の金型タイプの要求に応じて用意されて、保管されるものである。
【００３３】
よって、金型タイプの要求に応じて、所望の加工方向角度のカムホルダー２，カムドライバー４に対して、単一種のカムスライダー３をボルトで固着することで、所望のカムユニット１が容易かつ迅速に組み立てられるものである。そして、このカムユニット１を可動金型２０，固定金型２４にセットして、該可動金型２０を上下動させることで、その下降時に工具を装備したスライダー本体３ａが所定方向にスライドして成形品に加工を施し、上昇時に前記スプリング１３の付勢力でスライダー本体３ａが元の位置に戻るものである。
【００３４】
前記カムスライダー３に、戻し用のスプリング１３と反力部材であるベースプレート５，ガイドピンブロック１１及び関連部品のバネガイドピン１２，ガイドピンアングル１５を設けた実施形態を示したが、上記例に限らず、スプリングガイド１０，ガイドピンブロック１１，ガイドピンアングル１５等はその作用を同じくするものであれば、他の実施形態に変更可能なのは勿論である。また、本発明に係るカムスライダーを吊りカムユニットのタイプに適用して説明したが、加工方向角度を変更することで、水平カムユニットや傾斜カムユニットに適用できるのは勿論である。
【００３５】
【発明の効果】
以上説明したように、本発明に係るカムスライダーは、該カムスライダーの上下方向の片側面に摺動自在なベースプレートと、前記カムスライダーの前記片側面に固定され前記ベースプレートを摺動自在に挟装するスプリングガイドと、前記ベースプレートの片側面で前記スプリングガイドを挟むようにして立設される反力部材とガイドピンアングルと、前記スプリングガイドを貫通して反力部材とガイドピンアングルとの間に支持されるバネガイドピンと、前記バネガイドピンに嵌装されるとともに前記スプリングガイドの内部空間に内装され、カム作用で移動された前記カムスライダー及び前記スプリングガイドを元の位置に復帰させる弾性部材とが設けられていること、また、本発明に係るカムユニットは、固定金型と可動金型とに装着されて成形品の加工に供され、前記一方の金型に固着されてカム作用するカムドライバーと該カムドライバーによって所定方向に移動されるカムスライダーとからなるカムユニットにおいて、前記カムスライダーには、カム作用で移動された当該カムスライダーを元の位置に復帰させる装置が全部設けられているので、カムスライダーとして単独で製品取引が可能となり、カムスライダーを金型に取り付ける際に従来のように弾性部材の取付作業に手間が掛かることが省かれて、一のカムスライダーをボルト等で金型に取り付けるという簡単な作業となることから、任意の加工方向角度の金型に容易、かつ、フレキシブルに対応させることができる。
【００３６】
また、本発明のカムユニットによれば、前記カムスライダーを上下方向から取り付けるカムドライバーとカムホルダーとにおいては、工具作用角度に加工した取付け面と取付けネジ孔とを設けるだけでよいので、加工精度を高度に維持させる必要がなく、外部発注品にすることができて、カムユニット部品の生産の分散・分業化・低コスト化が可能となる。更に、カムホルダーにはコイルスプリング用のガイドピン及びこれを取り付ける部材が無いので、形状が単純・簡略化されて全体的に小型化され、このカムユニットの金型保管方法も低コスト、且つ、容易となるという優れた効果を奏するものである。
【図面の簡単な説明】
【図１】本発明に係るカムユニットの斜視図である。
【図２】同本発明に係るカムユニットの正面図である。
【図３】同本発明に係るカムスライダーの斜視図である。
【図４】同本発明に係るカムスライダーにおける、スライダー本体とスプリングガイドとの組立を示す斜視図である。
【図５】従来例に係るカムユニットの使用状態を示す説明図である。
【図６】同従来例に係る吊りカムユニットの正面図である。
【図７】同図６の側面図である。
【符号の説明】
１  カムユニット、２  カムホルダー、３  カムスライダー、
４  カムドライバー、５  ベースプレート、１０  スプリングガイド、
１１  ガイドピンブロック、１２  バネガイドピン、
１３  スプリング、１４  ワッシャー、１５  ガイドピンアングル。
【図１】
0003545618.tif 000002
【図２】
0003545618.tif 000003
【図３】
0003545618.tif 000004
【図４】
0003545618.tif 000005
【図５】
0003545618.tif 000006
【図６】
0003545618.tif 000007
【図７】
0003545618.tif 000008